【手続補正書】
【提出日】平成15年8月12日(2003.8.12)
【手続補正１】
【補正対象書類名】明細書
【補正対象項目名】特許請求の範囲
【補正方法】変更
【補正の内容】
【特許請求の範囲】
【請求項１】
ウエブの破断検出のとき、ウエブのしわの影響を最小限にとどめる方法であって、
周期的にエネルギのバーストを一定時間にわたって送り、前記エネルギのバーストをウエブから反射させ、これによってエコー信号を生じさせ、
前記エコー信号の第１部分を第１変換器に受けさせ、
前記エコー信号の第２部分を第２変換器に受けさせ、
前記エコー信号の第１部分の強さおよび前記エコー信号の第２部分の強さを決定し、
前記エコー信号の第１部分の強さを前記エコー信号の第２部分の強さと比較し、どちらの部分が強いかを決定し、
前記エコー信号の強い部分を分析し、ウエブの破断の存在を決定することを特徴とする方法。
【請求項２】
さらに、前記分析によってウエブの破断があることが決定されたとき、緊急停止信号を前記ウエブを送る機械に送ることを特徴とする請求項１に記載のウエブの位置を検出する方法。
【請求項３】
ウエブの位置を検出する方法であって、
周期的にエネルギのバーストを一定時間にわたって送り、前記エネルギのバーストをウエブから反射させ、これによってエコー信号を生じさせ、
前記エコー信号の第１部分を第１変換器に受けさせ、
前記エコー信号の第２部分を第２変換器に受けさせ、
前記エコー信号の第１部分の強さおよび前記エコー信号の第２部分の強さを決定し、
前記エコー信号の第１部分の強さを前記エコー信号の第２部分の強さと比較し、
前記エネルギのバーストの送信と最も強いエコー信号を受ける変換器によるエコー信号の一部の受信間に費やされる時間を算出し、これによってウエブの位置が許容可能であるかどうかを検出することを特徴とする方法。
【請求項４】
ウエブの破断の検出のとき、ウエブのしわまたは角度的歪みの影響を最小限にとどめる方法であって、
周期的にエネルギのバーストを一定時間にわたって送り、エネルギのバーストをウエブから反射させ、これによってエコー信号を生じさせ、
前記エコー信号の第１部分を第１変換器に受けさせ、
前記エコー信号の第２部分を第２変換器に受けさせ、
前記エコー信号の第１部分と前記エコー信号の第２部分を加算し、その合成信号を生じさせ、
前記合成信号を分析し、ウエブの破断の存在を決定することを特徴とする方法。
【請求項５】
ウエブの破断を検出する装置であって、
周期的にエネルギのバーストを一定時間にわたって送る第１変換器を備え、前記エネルギのバーストがウエブから反射され、これによってエコー信号が生じ、さらに、
前記エコー信号の第１部分を受けるに適した第２変換器と、
前記エコー信号の第２部分を受けるに適した第３変換器と、
前記第２変換器および前記第３変換器と通信関係をもち、前記エコー信号の第１部分と前記エコー信号の第２部分のどちらが強いかを決定する比較器と、
前記比較器と通信関係をもち、前記エコー信号の強い部分によってウエブが破断したかどうかを決定するコントローラを備えたことを特徴とする装置。
【請求項６】
前記第１変換器は圧電変換器からなることを特徴とする請求項５に記載のウエブの破断を検出する装置。
【請求項７】
前記第１変換器が前記ウエブの面に直角に配置されていることを特徴とする請求項５に記載のウエブの破断を検出する装置。
【請求項８】
前記第１変換器が前記ウエブの通常運転位置から２．５インチに配置されていることを特徴とする請求項５に記載のウエブの破断を検出する装置。
【請求項９】
前記第１変換器によって送られるエネルギのバーストが４５．５ｋＨｚの周波数をもつことを特徴とする請求項５に記載のウエブの破断を検出する装置。
【請求項１０】
前記第１変換器によって送られるエネルギのバーストが７７マイクロ秒にわたって続くことを特徴とする請求項９に記載のウエブの破断を検出する装置。
【請求項１１】
前記第１変換器によって送られるエネルギのバーストが１０マイクロ秒毎に繰り返されることを特徴とする請求項１０に記載のウエブの破断を検出する装置。
【請求項１２】
前記第２および第３変換器が圧電変換器からなることを特徴とする請求項５に記載のウエブの破断を検出する装置。
【請求項１３】
前記第２および第３変換器が前記第１変換器に向かって１０°の角度をもって配置されていることを特徴とする請求項５に記載のウエブの破断を検出する装置。
【請求項１４】
さらに、前記第１、第２および第３変換器を互いに固定関係をもって維持するハウジングを備えたことを特徴とする請求項５に記載のウエブの破断を検出する装置。
【請求項１５】
前記ハウジングは成型プラスチックのものであることを特徴とする請求項１４に記載のウエブの破断を検出する装置。
【請求項１６】
前記ハウジングは
前記第１変換器の送信側に関連する第１円錐状キャビティと、
前記第２変換器の受信側に関連する第２円錐状キャビティと、
前記第３変換器の受信側に関連する第３円錐状キャビティとを備え、
前記円錐状キャビティが前記変換器間の信号の干渉を減少させ、その超音波ビームを整形するようにしたことを特徴とする請求項１４に記載のウエブの破断を検出する装置。
【請求項１７】
前記第１変換器に関連する円錐状キャビティは前記第２および第３変換器に関連する円錐状キャビティよりも短く、前記第１変換器によって送られるエネルギのバーストは前記エコー信号の部分を前記第２および第３変換器に同時に受けさせることができる幅であることを特徴とする請求項１６に記載のウエブの破断を検出する装置。
【請求項１８】
さらに、前記第１、第２および第３変換器と通信関係をもち、前記エネルギのバーストの送信と前記エコー信号の最も強い部分の受信間に費やされる時間を算出するコントローラを備えたことを特徴とする請求項５に記載のウエブの破断を検出する装置。
【請求項１９】
前記エネルギのバーストの発信後、前記エコー信号の最も強い部分が２５０〜１０００マイクロ秒内で検出されたとき、前記ウエブは破断していないことを特徴とする請求項１８に記載のウエブの破断を検出する装置。
【請求項２０】
ウエブを送る機械を横切る材料のウエブの位置を検出する装置であって、３つの変換器を取り付けるに適したハウジングと、
前記ハウジング内に配置され、周期的にエネルギのバーストを一定時間にわたって送るに適した第１変換器とを備え、前記エネルギのバーストが目的物から反射し、これによってエコー信号が生じ、
前記ハウジング内に配置され、前記第１変換器に近接する第２変換器を備え、前記第２変換器は前記エコー信号の第１部分を受けるに適し、
前記ハウジング内に配置され、前記第１変換器に近接する第３変換器を備え、前記第３変換器は前記エコー信号の第２部分を受けるに適し、さらに、
前記第２および第３変換器と通信関係をもつ分析器を備え、前記分析器は前記エコー信号の第１および第２部分を受け、比較し、エコー信号の強い部分およびウエブの破断の存在を決定するようにしたことを特徴とする装置。
【請求項２１】
ウエブの位置を検出する装置であって、
コントローラと、
前記コントローラと通信関係をもち、前記コントローラからの制御信号に応答し、周期的にソニックエネルギのバーストを一定時間にわたって送る超音波トランスミッタとを備え、前記ソニックエネルギのバーストはあらかじめ設定された大きさ、周波数および位相角度をもち、ウエブから反射し、これによってエコー信号が生じ、前記エコー信号は前記ウエブの速度および位置によって決定される大きさ、周波数および位相角度をもち、
複数の超音波レシーバを備え、前記各レシーバが各レシーバに向かって反射するエコー信号の一部を検出し、さらに、
前記各レシーバによって検出されるエコー信号の部分の相対強さを決定する手段と、
前記コントローラに１つの前記レシーバによって検出されるエコー信号の最も強い部分からなる信号を送る手段とを備え、
前記コントローラは前記ソニックエネルギのバーストの送信と１つの前記レシーバによって検出されるエコー信号の最も強い部分からなる信号の受信間に費やされる時間を算出し、これによって前記ウエブの位置が許容可能であるかどうかを検出するようにしたことを特徴とする装置。
【請求項２２】
前記分析器の少なくとも一部が前記ハウジング内に配置されていることを特徴とする請求項２０に記載の装置。
【請求項２３】
前記分析器は比較器であることを特徴とする請求項２０に記載の装置。
【請求項２４】
前記分析器は処理器であることを特徴とする請求項２０に記載の装置。